(57)【要約】  【課題】ファスナーチェーンの切断時に、そのチェーン切断部分に不要な張力をかけず、しかもファスナーチェーンが緩んだ状態とはならずに切断され、更にはファスナーチェーンの種類に限らず、要求される切断形状に切断可能な切断手段を備えたスライドファスナーの連続製造方法と装置とを提供する。  【解決手段】前記ファスナーチェーン(FC)を連続して下傾斜するチェーン搬送路(121) をフィード部(124) によりチェーン切断部(110) に向けて搬送する。その途中にてファスナーチェーンの間隙部(S) の端部が検出手段(126) により検出されると、測長を開始され所定の長さが搬送されると、前記フィード部(124) による搬送が停止して、前記チェーン切断部(110) が作動して、間隙部(S) の中央にて任意の角度をもって切断する。切断されたスライドファスナー(SF)は傾斜面を滑落して、一旦チェーン受け部で受け取られたのち、受け部から自重により自然落下して、下方の収容部(150) に収容される。  【選択図】図１
2006305036.tif 000002
【特許請求の範囲】
【請求項１】
一対の噛合するエレメント列(ER)と同エレメント列(ER)が欠落した間隙部(S) を長手方向に交互に有する長尺なファスナーチェーン(FC)を前記間隙部(S) の所定位置にて切断してスライドファスナー(SF)を製造する方法であって、
チェーン切断部(110) の上流側に前記ファスナーチェーン(FC)のフィード部(124) を配すること、
同フィード部(124) により前記ファスナーチェーン(FC)を連続して下傾斜する傾斜搬送路(121) に沿って前記チェーン切断部(110) に向けて積極的に搬送すること、
この搬送の停止を待って前記チェーン切断部(110) を作動し、前記間隙部(S) の所定位置にて前記スライドファスナーチェーン(FC)を横断方向に切断すること、及び
チェーン切断部(110) により切り離されたスライドファスナーをファスナー滑落部(130) に沿って自重で滑落させること、
を含んでなることを特徴とするスライドファスナーの連続製造方法。
【請求項２】
搬送される前記ファスナーチェーン(FC)の前記間隙部(S) の端部を検出手段(126) により検出すること、
前記検出手段(126) により前記間隙部(S) の端部が検出されると、測長手段が前記ファスナーチェーン(FC)の搬送長の測定を開始すること、
同測長手段による測長が一定値に達すると前記フィード部(124) よる搬送を停止することを含んでなる請求項１記載の連続製造方法。
【請求項３】
前記ファスナーチェーン(FC)の前記間隙部(S) 上に、隣接する端部間が一定の間隔をおいて配された短尺の生地片(F) がスライドファスナーチェーン(FC)の長手方向にわたり順次取着されてなり、
前記チェーン切断部(110) を、回動手段(113) により前記傾斜搬送路(121) に垂直な軸線回りを所要の角度回動させたのちに、同チェーン切断部(110) を作動して前記間隙部(S) の所定位置にて前記ファスナーチェーン(FC)を傾めに横切って切断することを含んでなる請求項１又は２記載の連続製造方法。
【請求項４】
切断の終了後、前記フィード部(124) を作動してファスナーチェーン(FC)を所定の長さ前進させて停止させたのち、前記チェーン切断部(110) を搬送路に直角に横切る方向に回動させて、同チェーン切断部(110) を作動し、ファスナーチェーン(FC)の未切断端部(SF-1)を切り落とすことを含んでなる請求項１又は２記載の連続製造方法。
【請求項５】
前記チェーン切断部(110) の下流側に配され、同一傾斜角度を有するファスナー滑落面を有するファスナー滑落部(130) 上を自重で滑落して滑落路端にて自然落下するスライドファスナー(SF)を、前記ファスナー滑落面よりも緩い傾斜角度をもつファスナー受け部兼排出部(140) に一時的に載置したのち、同受け部兼排出部(140) の下方に配されたファスナー収容部(150) に自重落下させて収容することを含んでなる請求項１又は２記載の連続製造方法。
【請求項６】
長手方向に一対の噛合エレメント列(ER)と同エレメント列(ER)が欠落した間隙部(S) とが交互に配された長尺なファスナーチェーン(FC)を前記間隙部(S) の所定位置にて切断してスライドファスナー(SF)を連続的に製造する装置(100) であって、
前記ファスナーチェーン(FC)を搬送する連続して下傾斜するチェーン搬送路(121) と、  同搬送路の途中に配されるチェーン切断部(110) と、
同チェーン搬送路(121) の前記チェーン切断部(110) の上流側に配されたファスナーチェーンのフィード部(124) と、
前記フィード部(124) による搬送を停止するとともに前記チェーン切断部(110) を作動する制御部と、
を備えてなることを特徴とするスライドファスナーの連続製造装置。
【請求項７】
前記ファスナーチェーン(FC)の前記チェーン搬送路(121) に配された前記間隙部(S) の端部を検出する検出手段(126) と、
同検出手段(126) の検出信号を受けて測長を開始するファスナーチェーン(FC)の搬送長の測長手段と、
を備えてなる請求項６記載の連続製造装置。
【請求項８】
前記チェーン切断部(110) が前記チェーン搬送路(121) 上にて同搬送路(121) に垂直な軸線回りに所要の角度を回動させる回動手段(113) を有してなる請求項６又は７記載の連続製造装置。
【請求項９】
前記チェーン搬送路(121) のスライダー排出端の下方に配され、前記移送経路の傾斜角緩い傾斜角度をもち左右一対の底部(141a,142a) を有するファスナー受部兼排出部(140) を有し、前記底部(141a,142a) を開閉する開閉手段(132) を有してなる請求項６又は７記載の連続製造装置。
【請求項１０】
前記底部(141a,142a) の下方に同底部(141a,142a) の開口時に自重で落下するスライドファスナー(SF)を収容するファスナー収容部(150) を有し、前記ファスナー収容部(150) は、環状部材の周方向に複数に区画されたファスナー収容室(151) を有してなる請求項９記載の連続製造装置。
【発明の詳細な説明】
【技術分野】
【０００１】
本発明はスライドファスナーの製造方法及び装置に関し、具体的には長手方向にファスナーエレメント列と同エレメント列が欠落した間隙部とを交互に配した長尺のファスナーチェーンを各間隙部の中央で連続的に切断して同一長さのスライドファスナーを順次製造する方法と装置に関し、特に予めジーンズ用の前立が取り付けられたファスナーチェーンからスライドファスナーを連続して製造するに好適なスライドファスナーの連続製造方法及びその装置に関する。
【背景技術】
【０００２】
従来も、長尺なファスナーチェーンを、ファスナーエレメント列の欠落した間隙部ごとに切断してスライドファスナーを連続的に製造することが行われている。この具体的な製造技術の一例が、例えば特公平１−１９８９０号公報（特許文献１）にも開示されている。この公報によれば、移送手段により移送されるファスナーチェーンが切断手段による切断位置に前記間隙部が到達すると移送が停止される。前記移送手段は上下一対の移送ローラを含み、ファスナーチェーンの水平移送経路の途中に配されている。前記切断手段は前記移送経路の排出端に配された上下の協働する切断刃を有しており、ファスナーチェーンの移送が停止されたとき、上の切断刃が下降してファスナーチェーンの前記間隙部を横断方向に順次切断して、一定の長さを有するスライドファスナーをファスナーチェーンから連続的に切り離す。切り離されたスライドファスナーは、そのまま下方へと落下して下方に配した収容部に集められる。
【特許文献１】特公平１−１９８９０号公報
【発明の開示】
【発明が解決しようとする課題】
【０００３】
ところで、従来のこの種のスライドファスナーの製造装置にあっては、前記特許文献１にも記載されているとおり、ファスナーチェーンの移送経路は水平であることが一般的である。また、移送手段を切断手段の上流側及び下流側に配するものも多い。前記特許文献１のように、水平な移送経路の切断手段以降に切断後のスライドファスナーを移送する移送経路が排除されている場合には、前記切断手段よりも前方に送り出された次に切断されるスライドファスナー部分が切断手段を過ぎたところで下方に折れ曲がり、切断時にはその切断端がスライス状に切断される可能性が高い。
【０００４】
一方、水平移送経路が切断手段を挟んで前後に配されるとともに、移送手段も切断手段を挟んで前後に配される場合には、切断時にファスナーチェーンにどうしても緊張力が作用して、切断長さに差異が発生しやすい。
【０００５】
更に、上記切断手段は水平移送経路上の設置位置に不動の状態で設置されている。例えば、ジーンズの短冊状の生地片である前立ての上端が斜めに切断されていることが多い。そのため、この斜めに切断するジーンズ用のファスナーチェーン専用の切断装置は移送経路上を斜めに横断するように固設されることになる。このとき、切断後の次回に切断されるスライドファスナー部分の先端部は先行する前記スライドファスナーとは逆方向に傾斜する切断端が形成されていることになる。この逆方向に斜めに切断されたスライドファスナーでは製品とならないため、別の切断装置により改めてその斜めの切断端部分を切除しなければならなくなる。
【０００６】
本発明は、こうした課題を解消すべくなされたものであり、その目的はファスナーチェーンの切断時に、そのチェーン切断部分に不要な張力をかけず、しかもファスナーチェーンが緩んだ状態とはならずに切断でき、更には通常のファスナーチェーンであっても、複数の短冊状の前立てが取着されたジーンズ用のファスナーチェーンであっても、その要求される切断形状に切断可能な切断手段を備えたスライドファスナーの連続製造方法と装置とを提供することにある。
【０００７】
本発明によると、かかる従来技術の欠点をなくし、連続長尺ファスナーチェーンのエレメント欠落間隙部のいずれの位置においても（たとえば一対の噛合エレメントの先端近傍であっても）切断することができ、最先の噛合エレメントを損傷したり拡開したり、あるいは先端部の下止具を損傷したりすることがなく、確実に均一かつ適正品質のスライドファスナーが製造できる。
【課題を解決するための手段】
【０００８】
上記目的は、本発明の一対の噛合するエレメント列と同エレメント列が欠落した間隙部とを長手方向に交互に有する長尺なファスナーチェーンを前記間隙部の所定位置にて切断してスライドファスナーを製造する方法であって、切断手段の上流側に前記ファスナーチェーンの移送手段を配すること、同移送手段により前記ファスナーチェーンを連続して下傾斜する傾斜移送経路に沿って前記切断手段に向けて積極的に移送すること、移送される前記ファスナーチェーンの前記間隙部の前端又は後端を検出手段により検出すること、前記検出手段により前記間隙部の前端又は後端を検出されると、測長手段が前記ファスナーチェーンの移送長の測定を開始すること、同測長手段による測長が一定値に達すると前記移送手段による移送を停止すること、この移送の停止を待って前記切断手段を作動し、前記間隙部の所定位置にて前記スライドファスナーチェーンを横断方向に切断すること、及び切断手段により切り離されたスライドファスナーを前記傾斜移送経路に沿って自重で滑落させることを含んでいることを特徴とするスライドファスナーの連続製造方法によって、効果的に達成される。
【０００９】
前記ファスナーチェーンの前記間隙部上で、隣接する端部間が一定の間隔をおいて配された短尺の生地片がスライドファスナーチェーンの長手方向にわたり順次取着されている、いわゆるフライ付きファスナーチェーンを切断するとき、前記切断手段を、同切断手段の回動手段により前記傾斜移送経路に垂直な軸線回りを所要の角度回動させたのちに、同切断手段を作動して前記間隙部の所定位置にて前記ファスナーチェーンを傾めに横断して切断することを含んでいる。
【００１０】
更に、切断の終了後、前記移送手段を作動してファスナーチェーンを所定の長さ前進させて停止させたのち、前記切断手段を移送経路と直交して横断する方向に回動させて、同切断手段を作動し、ファスナーチェーンの先端傾斜部分を切り落とすことを含んでいることが望ましい。
【００１１】
前記移送経路上を自重で滑落して移送経路端にて落下するスライドファスナーを、一時的に前記移送経路の下傾斜より傾斜角度が小さい下傾斜角度をもつスライドファスナー受部に載置したのち、同受部の下方に配された収容部に落下収容させるとよい。
【００１２】
かかる製造方法は、本発明の長手方向に一対の噛合エレメント列と同エレメント列が欠落した間隙部とを交互に配された長尺なファスナーチェーンを前記間隙部の所定位置にて切断してスライドファスナーを連続的に製造する装置にあって、前記ファスナーチェーンを移送する連続して下傾斜する移送経路と、同移送経路の途中に配される切断手段と、同移送経路の前記切断装置の上流側に配されたファスナーチェーンの移送手段と、前記ファスナーチェーンの前記移送経路に配された前記間隙部の前端又は後端を検出する検出手段と、同検出手段の検出信号を受けて測長を開始するファスナーチェーンの移送長の測長手段と、前記測長手段による測長が一定値に達すると前記移送手段の移送が停止するとともに前記切断手段を作動する制御部とを備えていることを特徴とするスライドファスナーの連続製造装置によって効果的に実現される。
【００１３】
好適には、前記切断手段が前記ファスナーチェーンの移送経路上にて同移送経路に垂直な軸線回りに所要の角度を回動させる回動手段を有しており、また前記移送経路のスライドファスナー排出端の下方に配され、前記移送経路の傾斜角より傾斜角度が小さい底部を有するスライドファスナー受部を有している。このスライドファスナー受部の底部が同底部を開閉する開閉手段により開閉可能とされていることが好ましく、その底部の下方に同底部の開口時に自重で落下するスライドファスナーを収容する収容部を有するようにしてもよい。このとき、前記収容部は回転テーブルの外周縁部に沿って区画された複数の収容室を有していることが好ましい。前記測長手段、前記切断手段、前記回動手段、前記スライドファスナー受部の底部開閉手段、前記収容部の回転手段などの各作動部材を、予め決められた手順に従って順次自動的に作動させる制御部を有している。
【作用効果】
【００１４】
切断手段の上流側に前記ファスナーチェーンの移送手段を配し、同ファスナーチェーンの前端部を所要の長さだけ切断装置を越えて移送して、そこで移送を停止させる。このとき、ファスナーチェーンは下傾斜する移送経路に沿って自重も手伝って円滑に移送される。前記移送手段による移送を停止するため、移送経路の途中に配された検出手段によりファスナーチェーンの次回に切断する間隙部の前端又は後端を検出し、その検出信号を測長手段に送る。測長手段では、この検出信号を受けて測長を開始し、その測長の値が予め設定されている値に達すると前記移送手段の作動を停止し、ファスナーチェーンの移送を停止する。
【００１５】
このとき切断手段の切断位置にはファスナーチェーンの切断対象とされる間隙部が位置している。前記移送手段の作動が停止すると、前記切断手段が作動して前記間隙部を横断方向に切断してファスナーチェーンとスライドファスナーとを切り離す。この切断時には、ファスナーチェーンの移送手段により握持されている位置と先端自由端位置との間は、傾斜移送経路に沿う自重が働き、極端な緊張はないが弛みもない状態とされているため、常に一定長での切断を可能にする。ここで、切り離されたスライドファスナーは下傾斜する傾斜移送経路に沿って自重により滑落する。このとき、スライドファスナーを移送するための格別の動力は不要である。
【００１６】
本発明では、前記切断手段を前記ファスナーチェーンの移送経路上にて同移送経路に垂直な軸線回りを所要の角度で任意に回動させる回動手段を有するようにするとよい。一般のファスナーチェーンであれば、単に２本のファスナーストリンガーの相対するファスナーエレメント列が噛合状態とされてファスナーチェーンを構成している。このような通常の構造をもつファスナーチェーンであれば、その間隙部の中央を横断方向にファスナーチェーンに直角に切断するが、例えばジーンズの前立てのように一端が斜めに切断されるようなフライ付きのファスナーチェーンの場合には、斜めに切断するためのジーンズ専用の切断装置が必要となる。
【００１７】
本発明のごとく、切断手段を前記ファスナーチェーンの移送経路上にて同移送経路に垂直な軸線回りを所要の角度で任意に回動させる回動手段を有するようにすれば、通常のファスナーチェーンの切断時には、移送経路を直角に横断させて切断するように切断手段をセットすることもでき、或いはジーンズの前立てが取着されたフライ付きファスナーチェーンを斜めに切断するときは、前記切断手段を回動させてその切断刃を移送経路を斜めに横断する方向にセットした上で、ファスナーチェーンを斜めに切断することも可能となる。
【００１８】
また本発明によれば、こうして自重で傾斜移送経路を滑落するスライドファスナーを、一旦、スライドファスナー受部にて受けるようにするとよい。このスライドファスナー受部の底部にて受けることにより、スライドファスナーの落下形態を崩さなくて済む。特に、この受部の底部を前記傾斜移送経路の傾斜角度より小さな傾斜角度とすることにより、より落下形態を保持した状態で受けることができる。更に、前記スライドファスナー受部の底部を開閉可能として、底部で受けたスライドファスナーを底部を開くことにより、自重で下方の収容部に収容する。このとき、前記底部の傾斜角度が水平に近い傾斜角度に設定されているため、この受部を開いて収容部へと落下させても、収容部に収容されたときのスライドファスナーの方向性が変わらず、整頓された状態で収容される。
【００１９】
収容部が回転テーブルの外周縁部に沿って複数に区画された収容室を有する場合には、一収容室に収容されたスライドファスナーの枚数が所定の枚数となったとき、自動的に回転テーブルが回転して、次位の収容室に収容するようにする。
【発明を実施するための最良の形態】
【００２０】
以下、本発明を図面に示す代表的な実施形態に基づいて具体的に説明する。
本発明によれば連続する長尺のファスナーチェーンＦＣを連続して同一長さのスライドファスナーＳＦに切断する。長尺のファスナーチェーンＦＣは１対の連続ストリンガーからなり、一対のストリンガーのファスナーテープＴの対向側縁に沿ってファスナーエレメント列ＥＲが取着されている。一方のファスナーエレメント列ＥＲと相対するファスナーエレメント列ＥＲの対応するファスナーエレメントＥが噛合してファスナーチェーンＦＣを構成する。また連続するファスナーエレメント列ＥＲには所定の間隔をおいて同エレメント列ＥＲが欠落した間隙部Ｓが形成されている。すなわち、ファスナーチェーンＦＣは一定の長さを有するファスナーエレメント列ＥＲとファスナーエレメント列ＥＲの欠落した間隙部Ｓとが長さ方向に交互に形成されている。各間隙部Ｓの前後端には前工程にて図示せぬ上止具と下止具とが取着されており、同上止具と下止具との間のファスナーエレメント列ＥＲには図示せぬスライダーが挿通されている。
【００２１】
図１は、本発明のスライドファスナーの連続製造装置１００の代表的な実施形態の一部を破断して示す全体の側面図である。床面に座部１０１ａを介して支柱１０１が立設されている。この支柱１０１の上面は所定の傾斜角αをもって一方向に下傾斜しており、その傾斜面１０１ｂには、同傾斜面１０１ｂの一端から同じ傾斜角αをもって下傾斜し下端部を延設させた基板１０２が固設されている。前記傾斜面１０１ｂの略中央部には前記傾斜面１０１ｂと直交してファスナーチェーンＦＣのチェーン切断部１１０が設置されている。また、このチェーン切断部１１０を挟んで、ファスナーチェーンＦＣを前記チェーン切断部１１０に向けて搬送するためのチェーン搬送部１２０と、前記チェーン切断部１１０にて切断されてファスナーチェーンＦＣから切り離されたスライドファスナーＳＦが滑落するファスナー滑落部１３０及びスライドファスナーＳＦを排出する排出部１４０とが配設されている。
【００２２】
前記チェーン切断部１１０の下端部中央には、前記基板１０２の傾斜面と直交する軸線回りを回動可能な回転軸部１１１を有している。この回転軸部１１１は下端にフランジ１１１ａを有しており、同フランジ１１１ａは前記基板１０２の下面側に形成された大形孔部１０２ａに回転可能に嵌着させて、回転軸部１１１を同基板１０２の上面側に形成された小形孔部１０２ｂに挿通させている。この回転軸部１１１は前記小形孔部１０２ｂの上部開口端までの長さを有しており、同軸部１１１の上端には上方に向けて延びるチェーン切断部本体１１２を有している。このチェーン切断部本体１１２は全体が矩形板材からなり、図３に示すように、その下端部中央には前記軸部１１１を介してチェーン切断部本体１１２を前記基板１０２の上面に沿って回動させるための操作杆１１２ａが、前記基板１０２の上面と平行にファスナー排出端側に延設されている。この操作杆１１２ａの先端には本発明の回動手段である切断角度変更用シリンダー１１３のロッド端１１３ａに枢着されている。
【００２３】
前記切断角度変更用シリンダー１１３の本体１１３ｂは、前記基板１０２の横断方向の一側面から延設された載置台１１４に載置されている。切断角度変更用シリンダー本体１１３ｂの後端部には枢着部１１３ｃを有しており、同枢着部１１３ｃが前記載置台１１４に突設されたピン１１４ａによって回動自在に支持されている。矩形板材からなる前記チェーン切断部本体１１２の中央部には、横長矩形状のファスナーチェーン挿通孔１１２ｂが、前記基板１０２の傾斜方向に沿って貫通して形成されている。また、同チェーン切断部本体１１２の上端には、図１に示すように切断用シリンダー１１５が設置される設置台１１２ｃが固設されており、切断用シリンダー１１５の下方に延びるピストンロッド１１５ａは前記設置台１１２ｃに形成されたロッド挿通孔を通して同設置台１１２ｃの下面から下方へと露呈している。このピストンロッド１１５ａのロッド端には前記チェーン切断部本体１１２の前面（図１の右側）と摺接するようにして切断刃１１６が固設一体化されている。
【００２４】
更に、前記チェーン切断部本体１１２の前面（図１の右側）にあって、前記ファスナーチェーン挿通孔１１２ｂの直下にはベランダ状の切断屑排出部１１２ｄが突設されている。この切断屑排出部１１２ｄは、図３及び図４に示すように、排出路１１２ｄ−１の一端が閉塞され、他端が開放されて切断屑排出口を構成する。その閉塞端には、図３に示すように切断屑の排出路１１２ｄ−１に向けて圧搾空気を吹き出す空気吹出し口１１２ｄ−２が形成されている。同空気吹出し口１１２ｄ−２は、図示せぬ圧搾空気の供給源と配管を介して接続されている。
【００２５】
前記チェーン切断部１１０の背面側（図１の左側）の上記基板１０２の上面に配される上記チェーン搬送部１２０はユニット化されており、前記チェーン切断部１１０に向けて直線状に延びるチェーン搬送路１２１と、同チェーン搬送路１２１の上方に配されチェーン搬送路１２１の後端から更に後方へと延出するブラケット１２２に回転自在に支持される複数のチェーンガイドローラ１２３と、前記チェーン搬送路１２１の前記チェーン切断部１１０の背面側に隣接する部位に配設される上下のフィードローラ対１２４と、同フィードローラ対１２４よりも更にガイドローラ側のチェーン搬送路１２１に配されるチェーン間隙端部検出手段１２６とを備えている。
【００２６】
前記チェーン搬送路１２１も上記傾斜角αをもって下傾斜しており、その前端（図１の右端）の搬送面は、上記チェーン切断部本体１１２の中央部に横長に形成された上記ファスナーチェーン挿通孔１１２ｂの案内面と同一平面上に配されている。前記ブラケット１２２は、前記チェーン搬送路１２１に平行に斜め上方へと延出している。前記チェーンガイドローラ１２３は、前記ブラケット１２２のファスナーチェーン挿通孔１１２ｂの後端よりも後方であって斜め上方の位置に片持ち式に支持され、下方から垂直に送られるファスナーチェーンＦＣを斜め下方に送られるようにガイドする。チェーンガイドローラ１２３によりガイドされるファスナーチェーンＦＣは、チェーン搬送路１２１上をフィードローラ１２４によって上記チェーン切断部１１０に向けて前方へと積極的に供給される。
【００２７】
前記フィードローラ対１２４のうち、上部ローラ１２４ａは、図２に示すようにファスナーチェーンＦＣのファスナーエレメント列ＥＲの左右に配されたテープ部分をそれぞれ押圧するため、左右一対が一組とされている。この上部ローラ１２４ａの回転軸は、押圧シリンダー１２４ａのロッド端にスプリングなどの弾性手段を介して回転可能に支持されている。スライドファスナー製造時には、通常、前記押圧シリンダー１２５を伸長させて、弾性手段の弾力をもって、下部ローラ１２４ｂの周面を押圧している。ファスナーチェーンＦＣを連続製造装置１００に装着するとき、又は取り外すときには、前記押圧シリンダー１２５を縮長方向に作動して、上部ローラ１２４ａを下部ローラ１２４ｂの周面から離間させる。前記上部ローラ１２４ａは自由回転ローラであり、前記下部ローラ１２４ｂはサーボモータなどからなる駆動源により積極的に駆動される駆動ローラである。
【００２８】
前記チェーン間隙端部検出手段１２６は、チェーン搬送路１２１の搬送面に露呈するように配設された近接スイッチであり、ファスナーチェーンの裏面側から間隙部Ｓの有無を検出する。なお、前記検出手段１２６はチェーン搬送路１２１の上方に配設してもよいし、また、チェーン搬送路１２１を挟んで上下に配設した光電スイッチであってもよい。
【００２９】
本実施形態では、スライドファスナーＳＦの上記ファスナー滑落部１３０及び排出部１４０はユニット化されている。しかし、上記チェーン搬送部１２１にあっても同様であるが、それぞれを独立する構成部材にて別個に構成することも可能である。前記ファスナー滑落部１３０は、図１に示すようにチェーン切断部１１０にて切断されファスナーチェーンＦＣから切り離されたスライドファスナーＳＦの幅方向の幅を有する断面凹型の樋形状に形成され、図５に示すように、下端部を上記基板１０２の幅方向の側面に固設した門型のフレーム１３１に前端部を固設して、その後端部の底面を上記チェーン切断部１１０の本体１１２に形成された上記ファスナーチェーン挿通孔１１２ｂのチェーン案内面以下の高さとなるように固定する。このファスナー滑落部１３０も、前記チェーン切断部１１０及びチェーン搬送部１２０と同様に、その後端から前端にかけて傾斜角αをもって下傾斜している。
【００３０】
前記門型のフレーム１３１の左右の柱部１３１ａ，１３１ｂの上部内壁面には、図５に示すように、一対の支軸固定部１３１ｃ，１３１ｄが設けられており、各支軸固定部１３１ｃ，１３１ｄに後端部が固定され、前方に突出する左右一対の支軸１３２に本発明のファスナー受部兼排出部１４０の構成部材である左右一対の揺動体１４１，１４２が回動可能に支承されている。この左右の揺動体１４１，１４２は、図５及び図６に示すように左右対称な構造を有している。各揺動体１４１，１４２は、方形板材からなる各底部１４１ａ，１４２ａと、この底部１４１ａ，１４２ａの前後方向に延びる外側縁と前端縁とにかけてＬ字型に形成された左右一対の側壁部１４１ｂ，１４２ｂと、前記左右側壁部１４１ｂ，１４２ｂの後端開放部の上端から互いに接近する方向に直角に延びる作動杆１４１ｃ，１４２ｃが設けられている。この左右の作動杆１４１ｃ，１４２ｃの接近側端部には、上記門型フレーム１３１から突出する支軸１３２と平行な軸部１４１ｄ，１４２ｄが作動杆１４１ｃ，１４２ｃの前後方向に突設されている。
【００３１】
一方、上記門型フレーム１３１の上端梁部１３１ｅの中央部には、左右の揺動体１４１ａ，１４２ａを揺動させるための揺動体作動用シリンダー１４３を載置固定する棚部１３１ｆが前方に向けて突設されている。この揺動体作動用シリンダー１４３のピストンロッド１４３ａは、前記棚部１３１ｆに形成されたロッド挿通孔を通して下方に突出しており、そのロッド端には前記揺動体１４１，１４２を揺動可能に支持する連結体１４４が固設されている。この連結体１４４は、図５に示すように左右に連通する逆凹型部材からなり、左右一対の前記揺動体１４１，１４２の各作動杆１４１ｃ，１４２ｃの先端部が左右から嵌挿される。また前記連結体１４４には、左右作動杆１４１ｃ，１４２ｃの先端に設けられ前後に突出する各軸部１４１ｄ，１４２ｄを回動可能に且つ水平方向に摺動可能に支持する左右一対の軸部支持長孔１４４ａが前後に貫通して形成されている。
【００３２】
前記左右の揺動体１４１，１４２が閉じた状態にあるとき、その底部１４１ａ，１４２ａのファスナー受け面は、上記チェーン切断部１１０、チェーン搬送部１２０及びファスナー滑落部１３０の傾斜角αよりも水平に近い傾斜角βで傾斜している。これは、チェーン切断部１１０、チェーン搬送部１２０及びファスナー滑落部１３０の傾斜角αと同じ傾斜角とすると、左右の揺動体１４１，１４２が開かれてスライドファスナーＳＦが自然落下するとき、下方のファスナー収容部１５０への落下姿勢が定まらないが、上述のように揺動体１４１，１４２の底部１４１ａ，１４２ａのファスナー受け面を傾斜角βとして傾斜させた場合には、スライドファスナーＳＦは同一姿勢で落下し、ファスナー収容部１５０の所定の位置に整頓されて収容される。
【００３３】
本発明にあっては、同左右揺動体１４１，１４２の底部１４１ａ，１４２ａに一旦受け取られたスライドファスナーＳＦは、前記底部１４１ａ，１４２ａを開くことにより自重で自然落下する。この落下するスライドファスナーＳＦを収容するため、前記左右揺動体１４１，１４２の直下にスライドファスナー収容部１５０が配設されている。本実施形態では、図１及び図７に示すように、上記支柱１０１の中間部に径方向に拡がる収容部載置フランジ１０１ｃが設けられており、この収容部載置フランジ１０１ｃの上面に環状のスライドファスナー収容部１５０が、図示せぬ公知のラチェット機構等の間欠回転機構をもって、前記支柱１０１を中心に間欠回転可能に支持されている。この環状のスライドファスナー収容部１５０は、周方向に複数の隔壁１５２をもって複数の前記収容室１５１に区画されている。この各収容室１５１の配設位置は、上記左右揺動体１４１，１４２の底部１４１ａ，１４２ａの直下にあたる。
【００３４】
さて、以上の構成にあって、本実施形態によるファスナーチェーンＦＣをスライドファスナー単位に切断して収容部に収容する一連の操作を図面を参照しながら具体的に説明する。なお、以降に述べる操作手順の説明は、スライドファスナーＳＦとして、ジーンズの前開き部に適用される前立てを長手方向に所定の間隔をもって複数取着したシーンズ用の前立て付きファスナーチェーンを処理対象としている。本実施形態にて採用するジーンズ用前立て付きファスナーチェーンＳＦは、図８に示すように、通常のファスナーチェーン本体のファスナーエレメント列ＥＲが欠落した各間隙部Ｓの中央において、隣接する前立てＦの端部同士の間に所要の間隔ＯＰを開けて、ファスナーエレメント列ＥＲを跨いでファスナーエレメント列ＥＲの一側に隣接するファスナーテープＴの部分に縫製などにより取着される。
【００３５】
前記前立てＦは、前記通常のファスナーチェーン本体の幅方向の一方に偏位して取着され、その取着以前に搬送方向の前端一隅部が円弧状に切除されていてもよい。また、特にこの種のジーンズでは、前開き部の上端腰部が前面視で偏平なＶ字状に傾斜して形成されている場合が多い。そのため、ファスナーチェーンＦＣを前立てＦの湾曲端とは逆の端部側で切断するとき、チェーン搬送路１２１を斜めに横切るように切断する必要がある。本実施形態による上記スライドファスナーの連続製造装置１００によれば、このように傾斜した端部を形成するすることができる。勿論、前立てＦが取着されているか否かに関わらず、ファスナーチェーンＦＣをチェーン搬送路１２１に直角に横切るように切断することも可能である。
【００３６】
いま、前述のように前立て付きファスナーチェーンＦＣを斜めに切断しようとするときには、図４に示すように、切断角度変更用シリンダー１１３を伸長方向に作動すると、ロッド端１１３ａに枢着された作動杆１１２ａを介してチェーン切断部本体１１２の全体を切断刃１１６とともに、その回転軸部１１１を中心に基板１０２上で回動させる。このときの回動角度は１０°に設定されているが、この回動角度は０°〜１５°の範囲で任意に調整できる。こうして切断部１１０の切断角度を調整したのち、フィードローラ対１２４を駆動して前立て付きファスナーチェーンＦＣをチェーン切断部１１０に向けて搬送する。
【００３７】
この搬送の途中にて、図８に示すように、チェーン間隙端部検出手段１２６による検出位置を切断される間隙部Ｓが通過する。この間隙部Ｓの前端には上止具２が止着されており、その後端には下止具１が止着ている。本実施形態にあっては、前記上止具２は一方のファスナーストリンガーＳＴにのみ止着されているが、左右のファスナーストリンガーＳＴに対向して止着させてもよい。また、前記間隙部Ｓが非接触式や光電式のチェーン間隙端部検出手段１２６による検出位置を通過して、チェーン間隙端部検出手段１２６が下止具１あるいはエレメントＥを検出すると、その検出信号が図示せぬ例えばタイマーやフィードローラ対１２４の駆動ローラである下部ローラ１２４ｂの回転数をカウントする測長手段に送られ、同測長手段により予め設定されている搬送距離が測定され、その設定された搬送距離に達すると、同測定信号が図示せぬ制御部に送られて、同制御部から前記下部ローラ１２４ｂの駆動源である図示せぬサーボモータに駆動停止信号が発せられ、直ちに下部ローラ１２４ｂの回転を停止し、図９に示す状態で前立て付きファスナーチェーンＦＣの搬送を停止する。
【００３８】
なお、ファスナーチェーンＦＣに前立てＦが取着されていない場合においても、間隙部Ｓの後端に止着された下止具あるいはエレメントＥを検出し、その後、測長を開始して、設定した搬送距離に達した時点で、ファスナーチェーンＦＣの搬送を停止する。
【００３９】
前立て付きファスナーチェーンＦＣの停止と同時にチェーン切断用シリンダー１１５が作動され、図１０に示すように、チェーン切断刃１１６が下降して切断部本体１１２との間で、チェーン挿通孔１１２ｂを通過している前立て付きファスナーチェーンＦＣを前立てＦとともに斜めに切断し、前立て付きスライドファスナーＳＦを切り離す。この切り離された前立て付きスライドファスナーＳＦは、上記ファスナー滑落部１３０の傾斜面を自重でファスナー受け部１４０に向けて滑り落ちる。この滑り落ちる間に、チェーン切断用シリンダー１１５は元の待機位置に戻り、切断角度変更用シリンダー１１３が縮長方向に作動されて、上記チェーン切断部本体１１２の回動角度を０°とする。
【００４０】
ここで、今回の切断により発生する前記スライドファスナーＳＦの後端部の未切断部分ＳＦ−１を切除するため、フィードローラ対１２４を駆動し、図１１に示すように前立て付きファスナーチェーンＦＣを前記未切断部分ＳＦ−１の長さだけ前進させる。この前進が終了すると、フィードローラ対１２４の駆動を停止して、チェーン切断用シリンダー１１５を作動して、チェーン切断刃１１６により図１２に示すように前立て付きファスナーチェーンＦＣの間隙部Ｓ１を直角に横切るように同間隙部Ｓ１を切断して、前記未切断部分ＳＦ−１を切り離してできた切断屑をチェーン挿通孔１１２ｂの下部に設けられた切断屑排出部１１２ｄに落下させ、空気吹出し口１１２ｄ−２から吹き出される圧搾空気により切断屑排出路１１２ｄ−１を通して開口側から外部へと排出する。
【００４１】
一方、上述のようにファスナー滑落部１３０を自重で滑落する前立て付きスライドファスナーＳＦは、図５に示すファスナー受け部１４０における左右揺動体１４１，１４２の閉じた箱状の底部１４１ａ，１４２ａへと自動的に導入される。ここで、揺動体作動用シリンダー１４３が伸長方向に作動され、ロッド端に固設された連結体１４４が下降すると、同連結体１４４に形成された左右一対の軸部支持長孔１４４ａに挿入された左右の作動杆１４１ｃ，１４２ｃから突出する軸部１４１ｄ，１４２ｄが下降するとともに、前記軸部支持長孔１４４ａを左右へと摺動して、左右の揺動体１４１，１４２を門型のフレーム１３１から前方に突出する左右の支軸１３２を中心に回動して、図６に仮想線で示す左右の揺動体１４１，１４２を、同図に実線で示す位置へと開く。
【００４２】
こうして、左右の揺動体１４１，１４２が開くと、底部１４１ａ，１４２ａに載置されていた前立て付きスライドファスナーＳＦは、その開口から自重で落下して、下方に待機するファスナー収容部１５０のファスナー収容室１５１に収納される。このとき、前記揺動体１４１，１４２の底部１４１ａ，１４２ａのファスナー受け面の傾斜角βを、上記ファスナー滑落部１３０の傾斜角αより緩やかにしたことで、前記ファスナー収容室１５１の水平な底面に近づくため、揺動体１４１，１４２から落下する前立て付きスライドファスナーの落下姿勢が安定化して、同ファスナー収容室１５１に整頓して落下するようになる。
【００４３】
図示は省略したが、前記揺動体１４１，１４２から落下する前記前立て付きスライドファスナーの枚数はカウンターによりカウントされ、１つのファスナー収容室１５１に収容された前立て付きスライドファスナーＳＦの収容枚数が所定の数に達すると、ファスナー収容部１５０が支柱１０１を中心に間欠的に回転し、次位の空のファスナー収容室１５１を前記揺動体１４１，１４２の直下へと移動させる。
【００４４】
図１３及び図１４は本発明の第２実施形態を示している。上記第１実施形態では、上記支柱１０１の中間に一体に形成されたフランジ１０１ｃ上でファスナー収容部１５１が間欠的に回転して、前立て付きスライドファスナーＳＦを各ファスナー収容室１５１に収容しているが、本実施形態ではファスナー収容部１５０を前記支柱１０１に支持させずに、支柱１０１から前立て付きスライドファスナーＳＦの落下部側に延在する円筒状の架台１６１を設けている。その架台１６１の空洞部中央に前記ファスナー収容室１５１を回転支持する回転軸１６２が回転可能に立設されている。この回転軸１６２にはフランジ１６２ａが一体に形成されており、同フランジ１６２ａ上にファスナー収容部１５０が載置固定される。ここで、前記支柱１０１は前記ファスナー収容部１５０の外周側に位置し、ファスナー収容室１０１は上記左右揺動体１４１，１４２の直下に位置する。
【００４５】
この第２実施形態にあっても上記基板１０２を傾斜支持する点では上記第１実施形態と変わるところがなく、他の構成は上記第１実施形態と実質的に同一である。ただし、本実施形態におけるファスナー収容室１５１は、図１４に示すとおり、仕切り１５２により６０°ごとに仕切られた６室からなり、ファスナー収容部１５０を３０°回転させたのち停止させて、１つのファスナー収容室１５１の回転方向側の仕切り１５２に隣接する領域に所定枚数の前立て付きスライドファスナーを収容したのち、ファスナー収容部１５０を３０°回転させたのち停止させて、前記ファスナー収容室１５１の回転方向とは反対側の仕切り１５２に隣接する領域に所要枚数の前立て付きスライドファスナーを収容する。つまり、ファスナー収容室１５１の１室に所要枚数の前立て付きスライドファスナーを２列にして収容する。これを繰り返して、全てのファスナー収容室１５１に順次前立て付きスライドファスナーを主要する。前記ファスナー収容部１５０を間欠回転させるため、上記架台１６１の空洞部に回転軸１６２を駆動するための図示せぬ回転駆動部が設置されている。
【００４６】
以上の説明から理解できるとおり、本発明に係るスライドファスナーの連続製造装置は、上述のように前立て付きのファスナーチェーンから前立てが取着されていない通常のファスナーチェーンまで、全てのファスナーチェーンに対して適用することができ、同時に間隙部にて切断する切断角度も任意に０°から１５°まで任意に調整できる。勿論、必要ならば、この切断角度の調整範囲を更に変更することもできる。
【図面の簡単な説明】
【００４７】
【図１】本発明の代表的な第１の実施形態であるスライドファスナーの連続製造装置の全体構成を一部切開して示す側面図である。
【図２】同連続製造装置のチェーン搬送部と切断部の要部を示す拡大斜視図である。
【図３】同装置の切断部における角度調整機構例を示す要部斜視図である。
【図４】同角度調整機構により切断部の切断角度を変えたときの切断部を示す要部斜視図である。
【図５】前記装置のファスナー滑落部と排出部の構造例を示す斜視図である。
【図６】同ファスナー排出部の排出機構例を示す横断面図である。
【図７】前記ファスナー排出部の下方に配されるファスナー収容部の上面図である。
【図８】ファスナーチェーンの搬送状態を示す上面図である。
【図９】同ファスナーチェーンの搬送停止時の状態を示す上面図である。
【図１０】上記切断部の切断手段により斜めに切断されたファスナーチェーンと切り離されたスライドファスナーとの上面図である。
【図１１】ファスナーチェーンの未切断端の切除位置を示す上面図である。
【図１２】同じ切断刃による未切断端の切除時の状態を示す上面図である。
【図１３】本発明の代表的な第２の実施形態であるスライドファスナーの連続製造装置の全体構成を一部切開して示す側面図である。
【図１４】スライドファスナーの連続製造装置のファスナー収容部の上面図である。
【符号の説明】
【００４８】
１                      下止具
２                      上止具
３                      スライダー
１００                  スライドファスナー連続製造装置
１０１                  支柱
１０１ａ                座部
１０１ｂ              （上端）傾斜面
１０１ｃ                フランジ
１０２                  基板
１０２ａ                大径孔部
１０２ｂ                小径孔部
１１０                  チェーン切断部
１１１                  回転軸部
１１１ａ                フランジ部
１１２                  チェーン切断部本体
１１２ａ                操作杆
１１２ｂ                ファスナーチェーン挿通孔
１１２ｃ              （シリンダー）設置台
１１２ｄ                切断屑排出部
１１２ｄ−１            切断屑排出路
１１２ｄ−２            空気吹出口
１１３                  切断角度変更用シリンダー
１１３ａ                ロッド端
１１３ｂ                シリンダー本体
１１３ｃ                枢着部
１１４                  シリンダー載置部
１１４ａ                ピン
１１５                  切断用シリンダー
１１５ａ                ピストンロッド
１１６                  切断刃
１２０                  チェーン搬送部
１２１                  チェーン搬送路
１２２                  ブラケット
１２３                  ガイドローラ
１２４                  フィードローラ対
１２４ａ                上部ローラ
１２４ｂ                下部ローラ（駆動ローラ）
１２５                  押圧用シリンダー
１２６                  間隙端部検出手段
１３０                  ファスナー滑落部
１３１                  門型フレーム
１３１ａ，１３１ｂ      左右柱部
１３１ｃ，１３１ｄ      左右支軸部
１３１ｅ                梁部
１３１ｆ                棚部
１４０                  ファスナー受け部兼排出部
１４１，１４２          左右の揺動体
１４１ａ，１４２ａ      底部
１４１ｂ，１４２ｂ      左右側壁部
１４１ｃ，１４２ｃ      作動杆
１４１ｄ，１４２ｄ      軸部
１４３                  揺動体作動用シリンダー
１４４                  連結体
１４４ａ                軸部支持長孔
１５０                  ファスナー収容部
１５１                  ファスナー収容室
１５２                  仕切り
１６１                  架台
１６２                  回転軸
１６２ａ                フランジ
ＦＣ                  （前立て付き）ファスナーチェーン
ＥＲ                    ファスナーエレメント列
Ｓ                      間隙部
ＳＦ                    スライドファスナー
ＳＴ                    ファスナーストリンガー
Ｔ                      ファスナーテープ
Ｆ                      前立て（生地片）
【図１】
2006305036.tif 000003
【図２】
2006305036.tif 000004
【図３】
2006305036.tif 000005
【図４】
2006305036.tif 000006
【図５】
2006305036.tif 000007
【図６】
2006305036.tif 000008
【図７】
2006305036.tif 000009
【図８】
2006305036.tif 000010
【図９】
2006305036.tif 000011
【図１０】
2006305036.tif 000012
【図１１】
2006305036.tif 000013
【図１２】
2006305036.tif 000014
【図１３】
2006305036.tif 000015
【図１４】
2006305036.tif 000016